(57)【要約】【課題】簡単な構成を有し、記録紙に正確に画像を形成することができる画像形成装置を提供する。【解決手段】軸受１４の外周部より巻ローラ１２又は巻取りローラ１３の中心軸１２０（１３０）と直交する方向に伸びる支持部１５１と、支持部１５１の先端より中心軸１２０（１３０）を中心とする円の接線方向に突出された抜け止め部１５２とを備えたフック部１５と、抜け止め部１５２が挿入される貫通孔６２と、軸受１４が摺動されることで抜け止め部１５２が係合される係止部６１とを有する保持部６を備えている画像形成装置Ａ。【選択図】図３
2009292071.tif 000002
【特許請求の範囲】
【請求項１】
未使用のインクフィルムが巻きつけられた巻ローラと、使用済みのインクフィルムを巻き取る巻取りローラと、前記巻ローラ及び前記巻取りローラの軸方向の両端部を回転可能に保持する軸受とを備えたインクリボンを用い、記録紙の搬送とともに前記未使用のインクフィルムを送ることでサーマルヘッドより発せられる熱にて前記インクフィルム上のインクを溶融し、前記記録紙に転着させて画像を形成する画像形成装置において、
前記軸受部の外周部より前記巻ローラ又は前記巻取りローラの中心軸と直交する方向に伸びる支持部と、前記支持部の先端より前記中心軸を中心とする円の接線方向に突出された抜け止め部とを備えたフック部と、
前記抜け止め部が挿入される貫通孔と、前記軸受が摺動されることで前記抜け止め部が係合される係止部とを有する保持部を備えていることを特徴とする画像形成装置。
【請求項２】
前記巻ローラは前記巻取りローラに対して前記記録紙の搬送方向の上流に配置されるものであり、
前記巻ローラが保持された軸受に形成された抜け止め部が前記記録紙の搬送方向の下流側に突出し、
前記巻取りローラが保持された軸受に形成された抜け止め部が前記記録紙の搬送方向の上流側に突出している請求項１に記載の画像形成装置。
【請求項３】
前記フック部は前記軸受に複数個ずつ形成されている請求項１又は請求項２に記載の画像形成装置。
【発明の詳細な説明】
【技術分野】
【０００１】
熱転写型が造形性装置のインクリボンの取り付け構造に関するものである。
【背景技術】
【０００２】
従来、ファクシミリ装置や複合機の印刷装置として、静粛性や高速性に優れた画像形成装置が多く用いられている。従来の画像形成装置の詳細について図面を参照して説明する。図８は従来の画像形成装置の断面図である。図８に示すように、画像形成装置Ｂは、インクリボン９１と、インクリボン９１を押えるための押えローラ９２と、インクリボン９１のインクを溶融するサーマルヘッド９３と、記録紙を搬送するための搬送ローラ９４と、印刷された記録紙を画像形成装置Ｂの外部に排出するための排出ローラ９５と、インクリボン９１、押えローラ９２、搬送ローラ９４及び排出ローラ９５を有している。
【０００３】
図８に示すようにインクリボン９１は、熱溶融性インクが塗布された帯状のインクフィルム９１１と、インクフィルム９１１が巻かれた円筒形状の巻ローラ９１２と、使用済みのインクフィルム９１１が巻き取られる巻取りローラ９１３とを有している。インクフィルム９１１は一方の端部が巻ローラ９１２に、他方の端部が巻取りローラ９１３に固定されている。インクフィルム９１１は巻ローラ９１２に巻きつけられている。そして、巻取りローラ９１３を回転させることで、巻ローラ９１２に巻かれていたインクフィルム９１１は送り出され、巻取りローラ９１３に巻き取られる
押えローラ９２とサーマルヘッド９３とは近接して配置されており、押えローラ９２とサーマルヘッド９３との間にはインクフィルム９１１が配置されている。搬送ローラ９４にて搬送された記録紙は押えローラ９２とサーマルヘッド９３との間に搬送される。記録紙は搬送ローラ９４とインクフィルム９１１との間に搬送される。このとき、サーマルヘッド９３の発熱によりインクフィルム９１１の表面に塗布されたインクが溶融され、溶融されたインクが記録紙に転着されて、記録紙上に画像が形成される。記録紙に印刷が行われるときにはインクフィルム９１１と記録紙とが重なった状態で押えローラ９２に接触されている。
【０００４】
インクフィルム９１１に塗布されたインクは一度溶融されて転着されると、その部分にはインクがなくなる。そこで、インクフィルム９１１は記録紙に印刷を行うときに、記録紙とともに送られる。インクフィルム９１１のサーマルヘッド９３と対向する部分がインク切れを起こすことなく、記録紙に正確に画像を形成することができる。
【０００５】
搬送ローラ９４及び排出ローラ９５は上下に１つずつ配置され、互いに接触したローラ対であり記録紙を挟みつつ回転することで、記録紙を搬送又は排出するものである。押えローラ９２、搬送ローラ９４及び排出ローラ９５の一方の端部にはその回転軸に連結された歯車が備えられており、歯車が不図示の駆動歯車群と噛合わされている。モータより発生する駆動力が駆動歯車群を介して各ローラに連結された歯車に伝達され、押えローラ９２、搬送ローラ９４及び排出ローラ９５は回転駆動される。
【０００６】
インクリボンの詳細について図面を参照して説明する。図９は従来の画像形成装置に用いられるインクリボンの概略を示す図であり、図１０は従来の画像形成装置のインクリボン取り付け部の拡大図である。図９に示すように、インクリボン９１の巻ローラ９１２及び巻取りローラ９１３の両端部には、各ローラの軸芯９１４、９１５を回転可能に支持するための軸受９６が備えられている。また、巻取りローラ９１３の軸芯９１５の軸受９６より突出した部分にはギヤ９１６が形成されている。ギヤ９１６は駆動歯車群より駆動力が伝達されることで回動され、インクリボン９１の巻取りローラ９１３も回転駆動される。
【０００７】
巻取りローラ９１３を参照して軸受について説明する。なお、先端にギヤ９１６が形成されている以外は、巻ローラ９１２も同様の形状を有しているものである。巻取りローラ９１３の軸受９６は軸芯９１５が貫通するとともに回転可能に支持する支持孔９６１を有する筒形状の部材である。軸受９６は円筒の外側をその切断面が平行となるように中心を挟んで２箇所切断した形状を有している。軸受９６は円筒の一部を形成する円筒部９６２と、互いに平行に配置された一対の平面部９６３とを有している。円筒部９６２は平面部９６３と同様に、中心を挟んで対称に配置されており、同一の中心軸を有するとともに、同じ局率半径の円柱状の曲面である。
【０００８】
図１０に示すように、画像形成装置Ｂの内部には軸受９６を保持する保持部９７が備えられている。保持部９７は平板部９７１の中央に円筒状の貫通孔９７２が形成されており、その貫通孔９７２の一部が平板部９７１の外側に連結した開口部９７３が形成されている。開口部９７３は画像形成装置Ｂの上側に向いて形成されており、貫通孔９７２は軸受９６の円筒部９６２の外径と同じ内径を有しており、開口部９７３は一対の平面部９６３の距離とほぼ同じ幅を有している。
【０００９】
軸受９６の平面部９６３を開口部９７３に沿うように移動させることで、軸受９６は開口部９７３より貫通孔９７２へ挿入される。軸受９６が完全に貫通孔９７２に挿入された状態で、一方の平面部９６３と開口部９７３とが対向するように軸受９６を回転させる。これにより、軸受９６の開口部９７３側から見た見かけ上の幅は、回転されることで、開口部９７３の幅よりも広くなるので軸受９６は保持部９７より抜けるのを抑制することができる。
【００１０】
また、上述したように、巻ローラ９１２の軸受９６も同様の構成を有しているものであり、巻ローラ９１２も同様の取り付け方法で、画像形成装置Ｂに取り付けることが可能である。インクフィルム９１１がたるまないように、巻ローラ９１２及び巻取りローラ９１３とが画像形成装置Ｂに取り付けられる。
【００１１】
また、同様のプリンタにおいて、特開平１１−１２９５６３号公報に示すように、リボンスプールを予めカートリッジケース装着しておき、そのリボンスプールが装着されたカートリッジケースをプリンタに取り付けるものが採用されている。同様に、特開２００５−５９６００号公報にも、巻取側、供給側それぞれのインクリボンコアをアダプタに予め装着しておき、前記アダプタをプリンタに取り付けるものが記載されている。
【特許文献１】特開平１１−１２９５６３号公報
【特許文献２】特開２００５−５９６００号公報
【発明の開示】
【発明が解決しようとする課題】
【００１２】
しかしながら、巻取りローラ９１３はギヤ９１６が回転され駆動力が伝達されると、軸周りにモーメントが発生する。この軸周りのモーメントによって、巻取りローラ９１３が持ち上げられることがありえる。また、軸周りのモーメントによって軸受９６が回転される場合もあり、これらの複合作用によって、軸受９６が保持部９７から外れてしまう場合もある。この巻取りローラ９１３の持ち上げの力は、ギヤ９１６が形成されている側に反対側よりも大きな力がかかるので、巻取りローラ９１３はギヤ９１６が形成されている側がより大きく、傾くように持ち上がる。
【００１３】
このように巻取りローラ９１３が持ち上がることで、インクフィルム９１１と接触して搬送される記録紙に作用する力が偏ってしまい、本来の搬送方向に対して、傾いた方向に搬送される、いわゆる斜行が発生してしまう。記録紙が斜行すると記録紙上に形成される画像が傾いたり、ゆがんだりしてしまう不具合が発生する。
【００１４】
また、特開平１１−１２９５６３号公報、特開２００５−５９６００号公報に記載の発明のように、カートリッジやアダプタ等のケーシングでインクリボンを保持し、ケーシングを取り付けるようにすることで、インクフィルムを巻き取るローラの浮き上がりによる記録紙の斜行を抑制する子ができる。しかしながら、ケーシングを備えていることで、インクリボンユニットの構成が複雑になるとともに、ローラの間の距離を調整するのが難しく、汎用性に乏しい。
【００１５】
そこで本発明は、簡単な構成を有し、記録紙に正確に画像を形成することができる画像形成装置を提供することを目的とする。
【課題を解決するための手段】
【００１６】
上記目的を達成するために本発明は、未使用のインクフィルムが巻きつけられた巻ローラと、使用済みのインクフィルムを巻き取る巻取りローラと、前記巻ローラ及び前記巻取りローラの軸方向の両端部を回転可能に保持する軸受とを備えたインクリボンを用い、記録紙の搬送とともに前記未使用のインクフィルムを送ることでサーマルヘッドより発せられる熱にて前記インクフィルム上のインクを溶融し、前記記録紙に転着させて画像を形成する画像形成装置において、前記軸受部の外周部より前記巻ローラ又は前記巻取りローラの中心軸と直交する方向に伸びる支持部と、前記支持部の先端より前記中心軸を中心とする円の接線方向に突出された抜け止め部とを備えたフック部と、前記抜け止め部が挿入される貫通孔と、前記軸受が摺動されることで前記抜け止め部が係合される係止部とを有する保持部を備えている。
【００１７】
この構成によると、軸受と保持部とをしっかりと係合させることができるので、印刷時に、振動が加えられたり、衝撃が加えられたりしても、巻ローラ及び巻取りローラがずれたり、浮いたりするのを抑制することができる。
【００１８】
これにより、巻ローラ又は巻取りローラが所定の位置よりずれてしまうことで、記録紙が斜行してしまい、印刷が崩れてしまうのを抑制することができる。
【００１９】
また、前記抜け止め部を前記保持部の貫通孔の挿入し、軸受を摺動させるだけで、前記軸受と前記保持部とを係合させることができるので、インクリボンの交換を容易に行うことが可能である。また、力を加えて部材を変形させて取り付けるものではないので、保持部及び軸受が損傷してしまうのを抑制することが可能である。
【００２０】
上記構成において、前記巻ローラは前記巻取りローラに対して前記記録紙の搬送方向の上流に配置されるものであり、前記巻ローラが保持された軸受に形成された抜け止め部が前記記録紙の搬送方向の下流側に突出し、前記巻取りローラが保持された軸受に形成された抜け止め部が前記記録紙の搬送方向の上流側に突出しているものであってもよい。
【００２１】
上記構成において、前記フック部は前記軸受に複数個ずつ形成されているものであってもよい。
【発明の効果】
【００２２】
本発明によると簡単な構成を有し、記録紙に正確に画像を形成することができる画像形成装置を提供することができる。
【発明を実施するための最良の形態】
【００２３】
以下に、本発明の実施の形態について図面を参照して説明する。図１は本発明にかかる画像形成装置の概略断面図であり、図２はインクリボンの概略を示す図であり、図３（Ａ）、（Ｂ）は画像形成装置にインクリボン取り付けを行うときの拡大図である。図１に示すように、画像形成装置Ａは、筐体Ｂｄと、筐体Ｂｄに取り付けられたインクリボン１と、インクリボン１を押えるための押えローラ２と、インクリボン１のインクを溶融するサーマルヘッド３と、記録紙を搬送するための搬送ローラ４と、印刷された記録紙を画像形成装置Ａの外部に排出するための排出ローラ５と、インクリボン１、押えローラ２、搬送ローラ４及び排出ローラ５を有している。
【００２４】
図１に示すようにインクリボン１は、熱溶融性インクが塗布された帯状のインクフィルム１１と、インクフィルム１１が巻かれた円筒形状の巻ローラ１２と、使用済みのインクフィルム１１を巻き取る巻取りローラ１３とを有している。インクフィルム１１は一方の端部が巻ローラ１２に、他方の端部が巻取りローラ１３に固定されている。インクフィルム１１は巻ローラ１２に巻きつけられている。そして、巻取りローラ１３を回転させることで、巻ローラ１２に巻かれていたインクフィルム１１は送り出され、巻取りローラ１３に巻き取られる。なお、巻取りローラ１３は巻ローラ１２の記録紙Ｐａの搬送方向の下流側に配置される。
【００２５】
押えローラ２とサーマルヘッド３とは近接して配置されており、押えローラ２とサーマルヘッド３との間にはインクフィルム１１が配置されている。搬送ローラ４にて搬送された記録紙Ｐａは押えローラ２とサーマルヘッド３との間に搬送される。記録紙Ｐａは搬送ローラ４とインクフィルム１１との間に搬送される。画像を形成するときは記録紙Ｐａとインクフィルム１１とが重なった状態で押えローラ２に接触されている。サーマルヘッド３の発熱によりインクフィルム１１の表面に塗布されたインクが溶融される。押えローラ２によって記録紙Ｐａとインクフィルム１１とが接触されるので、溶融されたインクが記録紙Ｐａに転着される。記録紙Ｐａを送りながらインクフィルム１１よりインクを転着することで、記録紙Ｐａ上に画像が形成される。
【００２６】
インクフィルム１１に塗布されたインクは一度溶融されて記録紙Ｐａに転着されると、その溶融されたインクが塗布されていた部分にはインクがなくなる。そこで、記録紙Ｐａに印刷を行うときに、インクフィルム１１は巻取りローラ１３にて巻き取られることで、記録紙Ｐａとともに送られる。このように、インクフィルム１１が送られることで、インクフィルム１１の未使用部分を常にサーマルヘッド３と対向させることができ、インク切れを起こすことがなく、記録紙Ｐａに正確に画像を形成することができる。
【００２７】
搬送ローラ４及び排出ローラ５は上下に１つずつ配置され、互いに接触したローラ対である。搬送ローラ４及び排出ローラ５は記録紙Ｐａを挟みつつ回転することで、ローラの摩擦力で記録紙Ｐａを搬送又は排出するものである。
【００２８】
押えローラ２、搬送ローラ４及び排出ローラ５の一方の端部にはその回転軸に連結された歯車が備えられており、歯車が不図示の駆動歯車群と噛合わされている。モータより発生する駆動力が駆動歯車群を介して各ローラに連結された歯車に伝達され、押えローラ２、搬送ローラ４及び排出ローラ５は回転駆動される。
【００２９】
インクリボンの詳細について図面を参照して説明する。図２に示すように、インクリボン１の巻ローラ１２及び巻取りローラ１３の両端部には、各ローラの軸芯１２０、１３０を回転可能に支持するための軸受１４が備えられている。また、巻取りローラ１３の軸芯１３０の軸受１４より突出した部分にはギヤ１３１が形成されている。ギヤ１３１は駆動歯車群と噛合っている。駆動歯車群より駆動力が伝達され、押えローラ２、搬送ローラ４及び排出ローラ５と同様にインクリボン１の巻取りローラ１３も回転駆動される。
【００３０】
巻取りローラ１３を参照して軸受について説明する。なお、先端にギヤ１３１が形成されている以外は、巻ローラ１２も同様の形状を有しているものである。軸受１４は直方体形状の本体部１４０と、本体部１４０の中央に軸芯１３０が貫通されるとともに回動可能に支持される軸保持部１４１と、本体部１４０の下辺部に形成されたフック部１５とを有している。
【００３１】
図３に示すように、フック部１５は本体部１４０より突出した支持部１５１と、支持部１５１の先端より突出された抜け止め部１５２とを有している。支持部１５１及び抜け止め部１５２は本体部１４０と同一平面を形成するように、支持部１５１の先端と連結されている。
【００３２】
画像形成装置Ａにはインクリボン１の軸受１４が取り付け保持される保持部６が備えられている。保持部６はそれには限定されないが、ここでは、筐体Ｂｄの内壁面より突出されたリブ状の部材である。保持部６はフック部１５が係合可能な形状を有しており、支持部１５１の長さと同じ幅を有する係止部６１と、係止部６１の隣に形成され、フック部１５の抜け止め部１５２の長さと同じ長さの貫通孔６２とを有している。
【００３３】
軸受１４は次のようにして保持部６に取り付けられる。図３（Ａ）に示すように、まず、フック部１５の抜け止め部１５２を上方より貫通孔６２に挿入する。抜け止め部１５２が貫通孔６２を貫通することで、係止部６１と本体部１４０の下面とが当接される。このとき、抜け止め部１５２は係止部６１より下方に位置している。次いで図３（Ｂ）に示すように、軸受１４を抜け止め部１５２が突出している方向に摺動させる。これにより係止部６１が抜け止め部１５２と本体部１４０との間に挟まった状態となり、軸受１４が筐体Ｂｄに固定される。
【００３４】
保持部６にフック部１５を係合させることで、軸受１４が画像形成装置Ａの筐体Ｂｄに固定される。軸受１４が固定されることで、巻取りローラ１３が筐体Ｂｄに回動可能に支持される。また、巻取りローラ１３のギヤ１３１は駆動歯車群を構成する歯車の一つと噛みあった状態となり、回転駆動されてインクフィルム１１が巻き取られる。なお、軸受１４は巻取りローラ１３の両端に取り付けられているものであり、保持部６も筐体Ｂｄの巻取りローラ１３が配置される部分の両端部に形成されている。そして、巻ローラ１２も同様の方法で軸受１４及び保持部６を介して、筐体Ｂｄに支持される。
【００３５】
係止部６１とフック部１５とが係合されていることで、軸受１４が浮いたり、ずれたりするのを抑制することが可能である。これにより、巻ローラ１２及び巻取りローラ１３の浮き、ずれを抑制することができ、記録紙Ｐａの斜行、波打ちを抑制することが可能である。さらに、記録紙Ｐａの斜行、波打ち等をし、印刷が崩れるのを抑止することが可能である。
【００３６】
インクリボンの他の例について図面を参照して説明する。図４はインクリボンの他の例を示す図である。図４（Ａ）−（Ｃ）はインクリボンを取り付ける手順を示している。図４に示すインクリボン１ｂは、巻取りローラ１３に取り付けられている軸受１６が異なる以外は、図２、図３等に示すインクリボン１と同じ構成を有するものであり、実質上同じ部分には、同じ符号が付してある。
【００３７】
図４（Ａ）に示すように巻取りローラ１３の軸芯１３０を支持している軸受１６は、インクフィルム１１の上流側、すなわち、巻ローラ１２側に突出された抜け止め部１７２を備えたフック部１７を有している。
【００３８】
図４（Ｂ）、（Ｃ）に示すように、保持部６の貫通孔６２に抜け止め部１５２が貫通された後、軸受１４がインクフィルム１１の搬送方向の下流側にスライドされることで、抜け止め部１５２と係止部６１とが係合され、巻ローラ１２が筐体Ｂｄに回動可能に支持される。一方、保持部６の貫通孔６２に抜け止め部１７２が貫通された後、軸受１７がインクフィルム１１の搬送方向の上流側にスライドされることで、抜け止め部１７２が係止部６１と係合され、巻取りローラ１３が筐体Ｂｄに回動可能に支持される。
【００３９】
インクリボン１ｂにおいて、巻取りローラ１３でインクフィルム１１を巻き取るときに、巻取りローラ１３にはインクフィルム１１に引っ張られて上流側に力が作用する。一方、巻ローラ１２にも同様にインクフィルム１１に引っ張られて下流側に力が作用する。すなわち、画像形成装置Ａが印刷を行っているとき、巻ローラ１２は記録紙搬送方向の下流側に向けて、巻取りローラ１３は記録紙搬送方向の上流側に向けてそれぞれ力が付勢されている。
【００４０】
上述したように、軸受１４は下流側に向けてスライドさせて、フック部１５を保持部６に係合させており、軸受１６は上流側に向けてスライドさせて、フック部１７を保持部６に係合させるものである。これにより、巻ローラ１２が下流側に、巻取りローラ１３が上流側に引っ張られていることで、軸受１４及び軸受１６はそれぞれ、フック部１５及びフック部１７を係合させる方向に引っ張られているので、画像形成装置Ａに外部からの振動や衝撃が加えられても、フック部１５及びフック部１７が保持部６より外れるのを抑制することができる。これにより、巻ローラ１２及び巻取りローラ１３が傾いたりずれたりすることで、記録紙Ｐａが斜行したり、ずれたりするのを抑制することが可能であり、印刷の崩れを抑制することができる。
【００４１】
上述の画像形成装置Ａでは、軸受にはそれぞれ１個のフック部が形成されているが、それに限定されるものではなく、２個以上のフック部が形成されているものであってもよい。その場合、同じ軸受における抜け止め部の突出方向はすべて同じ方向に向いている。また、軸受をスライドさせてフック部を保持部に係合させるので、同じ軸受における抜け止め部の長さは同じ長さであることが好ましい。なお、軸受１４及び軸受１６に形成されているフック部の個数が異なっていてもよい。
【実施例１】
【００４２】
本発明にかかる画像形成装置を用いたファクシミリ送受信機について説明する。図５はファクシミリ送受信機の斜視図であり、図６は図５に示すファクシミリ送受信機の上部カバーを開きインクリボンが取り外された状態の平面図であり、図７は図６に示すファクシミリ送受信機にインクリボンを取り付けた状態の平面図である。なお、ファクシミリ送受信機Ｆａにおいては、インクリボン１ｂが装着されるものとするが、インクリボン１を装着されるものであってもよい。図５に示すファクシミリ送受信機Ｆａは、電話機と一体型であり、受話器Ｒｓ、テンキーＴｋ、操作キーＰｋ、ディスプレイＤｐを備えている。また、ファクシミリ送受信機Ｆａは背面側に記録紙を挿入するための記録紙トレイＰｔを備えており、正面側に形成された開口部Ｏｐより情報が印刷された記録紙が排出されるものである。
【００４３】
ファクシミリ送受信機Ｆａでは２分割の上面カバーＣｖ１、Ｃｖ２を開くことでインクリボン１ｂの着脱を行うものである。ファクシミリ送受信機Ｆａの第１ローラ保持部６ａに巻ローラ１２を回転可能に保持する軸受部１４を、第２ローラ保持部６ｂに巻取りローラ１３を回転可能に保持する軸受部１６をそれぞれ係合させる。そして、上面カバーＣｖ１及び上面カバーＣｖ２を閉じることで、インクリボン１ｂのインクフィルム１１は押えローラ２の一部に巻きついた状態になる。
【００４４】
ファクシミリ送受信機Ｆａに情報が着信されると、その情報は図示を省略した制御装置に送られ、制御装置はその情報をもとに、画像情報を形成し、サーマルヘッド３に送る。サーマルヘッド３は画像情報にあわせて、熱を発生させインクフィルム１１のインクを溶融させて記録紙Ｐａに転着させる。このようにして、情報が印刷された記録紙は開口部Ｏｐより排出される。軸受１４及び軸受１６を確実に保持部６ａ、６ｂに保持させることができ、巻ローラ１２及び巻取りローラ１３が浮き上がったり、ずれたりするのを抑制することができるので、記録紙の斜行を抑制し、印刷の崩れを抑えることができる。
【００４５】
また、ファクシミリ送受信機Ｆａには、図示を省略した画像読取装置が備えられており、画像読取装置に原稿を挿入することで、原稿に記載されている画像を画像情報として取り込み、送信することが可能である。
【００４６】
上述のインクリボン１、１ｂを用いることで、インクリボン１、１ｂの着脱を容易に行うことが可能である。また、インクリボン１、１ｂの巻ローラ１２及び巻取りローラ１３が浮き上がったり、ずれたりするのを抑制することができるので、記録紙の斜行やずれを抑制することができ、印刷が崩れるのを抑えることができる。
【産業上の利用可能性】
【００４７】
本発明は、たとえば、プリンタ、ファクシミリ等の普通紙に印刷することができる熱転写型の画像形成装置を用いる機器に採用することが可能である。
【図面の簡単な説明】
【００４８】
【図１】本発明にかかる画像形成装置の概略断面図である。
【図２】インクリボンの概略を示す図である。
【図３】（Ａ）、（Ｂ）は画像形成装置にインクリボン取り付けを行うときの拡大図である。
【図４】インクリボンの他の例を示す図である。
【図５】本発明にかかる画像形成装置を用いたファクシミリ送受信機の斜視図である。
【図６】図５に示すファクシミリ送受信機の上部カバーを開きインクリボンが取り外された状態の平面図である。
【図７】図６に示すファクシミリ送受信機にインクリボンを取り付けた状態の平面図である。
【図８】従来の画像形成装置の断面図である。
【図９】従来の画像形成装置に用いられるインクリボンの概略を示す図である。
【図１０】従来の画像形成装置のインクリボン取り付け部の拡大図である。
【符号の説明】
【００４９】
Ａ  熱転写プリンタ
Ｐａ  記録紙
Ｂｄ  筐体
１  インクリボン
１１  インクフィルム
１２  巻ローラ
１２０  軸芯
１３  巻取りローラ
１３０  軸芯
１３１  ギヤ
１４  軸受
１４０  本体部
１４１  軸保持部
１５  フック部
１５１  支持部
１５２  抜け止め部
１６  軸受
１６０  本体部
１６１  軸保持部
１７  フック部
１７１  支持部
１７２  抜け止め部
２  押えローラ
３  サーマルヘッド
４  搬送ローラ
５  排出ローラ
６  保持部
６１  係止部
６２  貫通孔
【図１】
2009292071.tif 000003
【図２】
2009292071.tif 000004
【図３】
2009292071.tif 000005
【図４】
2009292071.tif 000006
【図５】
2009292071.tif 000007
【図６】
2009292071.tif 000008
【図７】
2009292071.tif 000009
【図８】
2009292071.tif 000010
【図９】
2009292071.tif 000011
【図１０】
2009292071.tif 000012